(57)【要約】【課題】金属ハウジングの水平固定の安定性を増加できるロック装置を有する記憶カードコネクタを提供する。【解決手段】金属ハウジング１、絶縁ゴム芯２、複数の導電端子３および複数の固定片４を含む。金属ハウジング１は、少なくとも一つの弾性挟み片１３を有して、弾性挟み片１３の末端に下向きに突き出る凸部１３１が設けられている。弾性挟み片１３の位置に相対する固定片１３１に限定位置部４２が設けられている。弾性挟み片１３と限定位置部４２をロック装置に形成させて、金属ハウジング１が移動して定位するまで、一定の施力範囲を超えなければ、金属ハウジング１を限定位置部４２に保留可能である。したがって、記憶カードコネクタが連接状態となることを確保可能である。【選択図】図１
0003128908.tif 000002
【実用新案登録請求の範囲】
【請求項１】
金属ハウジング、絶縁ゴム芯、複数の導電端子および複数の固定片を備え、
該金属ハウジングは少なくとも一つの弾性挟み片を有して、該弾性挟み片の末端に下向きに突き出る凸部が設けられ、該弾性挟み片の位置に相対する固定片に限定位置部が設けられ、該弾性挟み片と該限定位置部をロック装置に形成し、金属ハウジングが移動して定位するまで、金属ハウジングが該限定位置部に保留され、記憶カードコネクタの連接状態が確保されることを特徴とするロック装置を有する記憶カードコネクタ。
【請求項２】
該弾性挟み片は、金属ハウジングの左右両側の一側に設けられ、限定位置部を有する固定片は絶縁ゴム芯の相対する弾性挟み片の同一側に設けられていることを特徴とする請求項１に記載のロック装置を有する記憶カードコネクタ。
【請求項３】
該弾性挟み片は、金属ハウジングの左右両側に設けられ、限定位置部を有する固定片は絶縁ゴム芯の左右両側に設けられていることを特徴とする請求項１に記載のロック装置を有する記憶カードコネクタ。
【請求項４】
該凸部は、該弾性挟み片の末端が曲折することで形成されていることを特徴とする請求項１に記載のロック装置を有する記憶カードコネクタ。
【請求項５】
該固定片の限定位置部は、上向きに突き出る肋部を有することを特徴とする請求項１に記載のロック装置を有する記憶カードコネクタ。
【請求項６】
該固定片の限定位置部は、下向きに凹入した凹部を有することを特徴とする請求項１に記載のロック装置を有する記憶カードコネクタ。
【考案の詳細な説明】
【技術分野】
【０００１】
本考案は、記憶カードコネクタであって、特に、ロック装置を有する記憶カードコネクタに関して、記憶カードコネクタの金属ハウジングの水平移動を制限できて、それによって、金属カバーを回転の位置に移動させない。
【背景技術】
【０００２】
現在の記憶カードコネクタに使用されている金属ハウジングは、ほとんど回転スライド式を採用して、即ち、金属ハウジングは回転して開くことができて、記憶カードはこの状態で置き入れられ、または、取り出されて、金属ハウジングの回転が閉鎖した後、前向き或いは後向きに水平移動できて、当該技術は金属ハウジングに封じ板を設けることを利用して、金属ハウジングが水平移動した後、当該封じ板は絶縁ゴム芯を押し付けて、金属ハウジングを回転させることができず、記憶カードコネクタの金属ハウジングを回転して開かせることができず、即ち、当該金属ハウジングは回転変位する固定効果を有して、それによって、記憶カードの連接状態を確保することができる。
【０００３】
台湾特許文献第９４２０５８２８号による実用新案では、即ち、上記技術の実用新案特許を利用して、同時に、当該特許は、上記技術の欠点を改良するために、金属ハウジングが水平移動することにある固定効果を増加して、金属ハウジングの側辺に延伸して合わせるばね体を設けて、ばね体にフック部を設けて、絶縁ゴム芯には当該フック部と掛かる欠口を設けて、それによって、金属ハウジングが水平移動した後、当該欠口と当該フック部の干渉力を介して金属ハウジングの固定効果を制限することができる。
【０００４】
このような設計は、確かに記憶カードの連接状態にいっそうの安定性を獲得させて、しかしながら、上記特許は依然として改善の点を有して、特に、上記絶縁ゴム芯の欠口は直接に絶縁ゴム芯に凹設されて、従って、その材質は絶縁ゴム芯と同じで、絶えず使用された後、即ち、フック部との摩擦で変形または磨耗する情況を生じる可能性があって、当該フック部は変形或いは磨耗した後、フック部の掛ける状態が悪くなって、それによって、記憶カードの連接状態を不安定にするかもしれない。本考案は、上記欠点に対して行なう改良と設計である。
【考案の開示】
【考案が解決しようとする課題】
【０００５】
本考案の主な目的は、ロック装置を有する記憶カードコネクタを提供して、それは、金属ハウジングが水平固定される安定性を増加して、金属ハウジングを容易に水平移動させることができない。
本考案のもう一つの目的は、ロック装置を有する記憶カードコネクタを提供して、それは、記憶カードコネクタのロック装置が長時間で使用された後、使用状態を確保させて、記憶カードコネクタの連接状態を不安定にさせることができない。
【課題を解決するための手段】
【０００６】
本考案の記憶カードコネクタは、ロック装置を有して、当該コネクタは、金属ハウジング、絶縁ゴム芯、複数の導電端子および複数の固定片を含み、当該複数の導電端子は絶縁ゴム芯に固定されて、当該固定片は当該絶縁ゴム芯の両側に固定されて、固定片は固定部を有して、固定部は当該絶縁ゴム芯の下方に突き出て、熔接或いは表面接着等の方式を利用して、絶縁ゴム芯を配線板に固定させることができて、当該金属ハウジングの両側には軸部を設けて、当該絶縁ゴム芯には当該軸部に相対する位置にシャフトを設けて、当該シャフトは当該絶縁ゴム芯の両側面の水平方向の長い凹溝に凹設されて、金属ハウジングは軸部で当該絶縁ゴム芯のシャフトで回転させることができて、同時に、金属ハウジングが回転して当該絶縁ゴム芯に近づいてきた後、金属ハウジングは軸部で当該シャフトに水平移動できて、当該金属ハウジングには別に少なくとも一つの封じ片を設けて、絶縁ゴム芯には当該封じ片に相対する封じる部を設けて、金属ハウジングが回転して当該絶縁ゴム芯に近づいてきた後、当該封じる部の垂直位置は当該封じ片の垂直位置より高くなって、当該封じ片が当該封じる部の下方まで水平移動して、当該封じ片が当該封じる部の下方まで水平移動した後、当該封じる部は封じ片が上向きに移動する自由度を制限して、つまり、金属ハウジングはこの時に上向きに回転して移動することができない。
【０００７】
上記記憶カードコネクタは、回転スライド式の記憶カードコネクタであって、上記の結構或いは開示された先行技術と比べて、ただ本考案の技術は当該金属ハウジングが少なくとも一つの弾性挟み片を有して、当該弾性挟み片の末端に下向きに突き出る凸部を設けて、その中で当該弾性挟み片位置に相対する固定片に限定位置部を設けることを特徴とする。
【０００８】
従って、当該弾性挟み片と当該限定位置部をロック装置に形成させて、金属ハウジングが回転して当該絶縁ゴム芯に近づいてきた後、しかも、当該シャフト部に沿って水平移動している時、当該弾性挟み片の凸部は移動して当該限定位置部を越えて、当該凸部が当該限定位置部を越えた後、当該限定位置部は抵抗力を提供することで、金属ハウジングが一定の施力範囲を超えなければ、金属ハウジングが当該限定位置部に保留されることができて、それによって、記憶カードコネクタが連接状態となることを確保できる。
【考案を実施するための最良の形態】
【０００９】
審査員にいっそう当考案の精神と技術特徴を理解させるため、茲に実施例で詳細に下記の如く説明する。
図１および図２を参照して、それは本考案の好ましい実施形態であって、本考案の一実施例によるロック装置を有する記憶カードコネクタは、金属ハウジング１、絶縁ゴム芯２、複数の導電端子３および二つの固定片４を含み、当該複数の導電端子３は絶縁ゴム芯２に固定されて、当該固定片４は当該絶縁ゴム芯２の両側に固定されて、固定片４は複数の固定部４１を有して、固定部は当該絶縁ゴム芯２の下方に突き出て、熔接或いは表面接着等の方式を利用して、絶縁ゴム芯２を配線板（図面に示せず）に固定させることができて、当該金属ハウジング１は両側が下へ曲折して、しかも延伸して軸部１１を設けて、当該絶縁ゴム芯２には当該軸部１１に相対する位置にシャフト２１を設けて、当該シャフト２１は当該絶縁ゴム芯２の両側面の水平方向の長い凹溝に凹設されて、金属ハウジング１は軸部１１で当該絶縁ゴム芯２のシャフト２１で回転させることができて、同時に、金属ハウジング１が回転して当該絶縁ゴム芯２に近づいてきた後、金属ハウジング１は軸部１１で当該シャフト２１に水平移動できて、当該金属ハウジング１には別に少なくとも一つの封じ片１２を設けて、絶縁ゴム芯２には当該封じ片１２に相対するに封じる部２２を設けて、金属ハウジング１が回転して当該絶縁ゴム芯２に近づいてきた後、当該封じる部２２の垂直位置は当該封じ片１２の垂直位置より高くなって、当該封じ片１２が当該封じる部２２の下方まで水平移動して、当該封じ片１２が当該封じる部２２の下方まで水平移動した後、当該封じる部２２は封じ片１２が上向きに移動する自由度を制限して、つまり、金属ハウジング１はこの時に上向きに回転して移動することができない。
【００１０】
本実施例では、当該金属ハウジング１は二つの弾性挟み片１３を有して、当該弾性挟み片１３はそれぞれ金属ハウジング１の左右両側に設けられて、当該弾性挟み片１３の末端に下向きに突き出る凸部１３１を設けて、当該凸部１３１は当該弾性挟み片１３末端の曲折で形成されて、本実施例の中で、当該二つ固定片４には当該凸部１３１に相対して限定位置部４２を設けて、当該限定位置部４２は上向きに突き出る肋部４２１を有して、当該肋部４２１は限定位置部４２の中間位置で上向きに曲折される。
【００１１】
図３から図５を参照して、当該弾性挟み片１３の凸部１３１は当該限定位置部４２の肋部４２１でロック装置を構成して、金属ハウジング１が回転して当該絶縁ゴム芯２に近づいてきた後、しかも当該シャフト部２１に沿って水平移動している時、当該弾性挟み片１３の凸部１３１は移動して当該限定位置部４２の肋部４２１を越えて、当該凸部１３１が当該肋部４２１を越えた後、当該肋部４２１は抵抗力を提供するため、金属ハウジング１が一定の施力範囲を超えなければ、金属ハウジング１の凸部１３１位置が当該肋部４２１に限定された後、即ち、金属ハウジング１を当該限定位置部４２に保留させることができて、それによって、金属ハウジング１の封じ片１２は当該絶縁ゴム芯２の封じる部２２の位置を移して出して、従って、金属ハウジング１は回転できず、記憶カードコネクタを連接状態とさせることができる。
【００１２】
本実施例の長所は、記憶カードコネクタのロック装置がそれぞれ金属ハウジングの弾性挟み片および固定片で構成されて、絶縁ゴム芯に独立して、従って、品質管制上にも独立して良好なコントロールを取得できて、また、固定片を金属で製造すれば、金属ハウジングのロック効果を上昇できて、同時に、長期間使用の試練を通過することができる。
【００１３】
本実施例中の限定位置部４２は、固定片４に下向きに凹入した凹部を設けて、当該凹部で当該弾性挟み片１３の凸部１３１の水平移動を限定する。
本考案は、実用新案の出願要件を有して、実施例に開示された結構は、簡単に本考案を説明するためのことであって、本考案の範囲を限定するわけにはならない。本考案の明細書でこの技術を分かる考案者が、本考案にかかる精神を離れないまました補正は、本考案の類似な結構と見なされて、本考案による請求の範囲に含まれる。
【図面の簡単な説明】
【００１４】
【図１】本考案の一実施例によるロック装置を有する記憶カードコネクタを示す分解斜視図である。
【図２】本考案の一実施例によるロック装置を有する記憶カードコネクタを示す斜視図である。
【図３】本考案の一実施例によるロック装置を有する記憶カードコネクタを示す斜視図である。
【図４】本考案の一実施例によるロック装置を有する記憶カードコネクタの使用状態を示す模式図である。
【図５】本考案の一実施例によるロック装置を有する記憶カードコネクタの使用状態を示す模式図である。
【符号の説明】
【００１５】
１：金属ハウジング、２：絶縁ゴム芯、３：導電端子、４：固定片、１１：軸部、１２：封じ片、１３：弾性挟み片、２１：軸部、２２：封じる部、４１：固定部、４２：限定位置部、１３１：凸部、４２１：肋部
【図１】
0003128908.tif 000003
【図２】
0003128908.tif 000004
【図３】
0003128908.tif 000005
【図４】
0003128908.tif 000006
【図５】
0003128908.tif 000007
【手続補正書】
【提出日】平成18年10月31日(2006.10.31)
【手続補正１】
【補正対象書類名】図面
【補正対象項目名】図３
【補正方法】変更
【補正の内容】
【図３】
0003128908.tif 000008